(57)【特許請求の範囲】
【請求項１】
操作部の回転操作により第１押圧スイッチ部を選択しスイッチ動作させる第１押圧機構部と、
前記操作部の傾倒操作により第２押圧スイッチ部をスイッチ動作させる第２押圧機構部と、
前記第１押圧スイッチ部、第２押圧スイッチ部が実装された回路基板と、
前記回路基板と前記第１押圧機構部及び第２押圧機構部との間に介在し、前記各スイッチに対応した接点を有し、前記第１押圧機構部と前記第２押圧機構部の移動により前記各接点は前記各スイッチと接離してスイッチ動作を行なうコンタクトラバーと、を有し、
前記コンタクトラバーは、前記回路基板の上全面を覆うように形成され、
前記第１押圧機構部又は前記第２押圧機構部は、前記操作部の回転操作又は傾倒操作の動きを押圧動作として前記回路基板に伝えるプッシャーであって、前記第１押圧機構部は、前記操作部の回転操作によるロッド及びロータの回転移動により前記ロータのカム部を介して切替プッシャーを押圧して前記回路基板側へ移動させ、前記第２押圧機構部は、前記操作部の傾倒操作によるロッド及びアクチュエータの傾倒移動により傾倒プッシャーを押圧して前記回路基板側へ移動させるものである、ことを特徴とするスイッチ装置。
【請求項２】
前記第１押圧機構部に対応した接点は、前記第２押圧機構部に対応した２つ以上の接点の間に設置されていることを特徴とする請求項１に記載のスイッチ装置。
【発明の詳細な説明】
【技術分野】
【０００１】
本発明は、スイッチ装置に関する。
【背景技術】
【０００２】
従来の技術として、電動ミラーの選択と、電動ミラーにおける鏡面角度の調整とを単一の操作ノブで行うことができる車両用ミラーを制御するためのスイッチ装置が知られている（例えば、特許文献１参照）。このスイッチ装置は、操作ノブの回転操作により右側又は左側の電動ミラーを選択し、操作ノブを中立位置から十字方向に傾倒操作することにより回路基板の表面側に設けられているスイッチ回路を４通りに切り換えることができるものである。（例えば、特許文献１参照。）。
【０００３】
たとえば、このスイッチ装置は、スイッチハウジング内に設ける回路基板の表面には４方向切換用スイッチ回路を構成する固定接点を設け、その裏面には他のスイッチ回路を構成する固定接点を設ける。回路基板の表面側には可動接点を有する押圧スイッチ部材を設け、回路基板の裏面側には可動接点を有する回動スイッチ部材を回動可能に設けると共に、回路基板の軸孔を貫通させた回動軸を一体的に設ける。操作ノブの操作軸の先端を、回動軸の先端に回動可能且つ傾倒操作可能に係合させると共に、操作軸には押圧スイッチ部材を押圧して押圧スイッチ部材の可動接点を回路基板の固定接点に接触させる押圧操作部を一体的に設けてある。このような構成により、左右の電動ミラーの選択を行なうと共に、電動ミラーにおける鏡面角度の調整とを単一の操作ノブで行うことができるとされている。
【先行技術文献】
【特許文献】
【０００４】
【特許文献１】特開２００４−７１４１６号公報
【発明の概要】
【発明が解決しようとする課題】
【０００５】
しかし、特許文献１のスイッチ装置によれば、電動ミラーの選択と、電動ミラーにおける鏡面角度の調整を行なうスイッチ接点が摺動接点方式によるものなので、摺動抵抗の影響しより操作フィーリングが悪いという問題があった。また、回路基板の軸孔を貫通させた回動軸を設ける構成としているので、回路基板を構造上防水することが難しく、耐水性を高めることが難しいという問題があった。
【０００６】
従って、本発明の目的は、１つの操作ノブの回転操作と傾倒操作によって切替操作及びスイッチ操作が可能で、操作性、防水性に優れたスイッチ装置を提供することにある。
【課題を解決するための手段】
【０００７】
［１］上記目的を達成するため、操作部の回転操作により第１押圧スイッチ部を選択しスイッチ動作させる第１押圧機構部と、前記操作部の傾倒操作により第２押圧スイッチ部をスイッチ動作させる第２押圧機構部と、前記第１押圧スイッチ部、第２押圧スイッチ部が実装された回路基板と、前記回路基板と前記第１押圧機構部及び第２押圧機構部との間に介在し、前記各スイッチに対応した接点を有し、前記第１押圧機構部と前記第２押圧機構部の移動により前記各接点は前記各スイッチと接離してスイッチ動作を行なうコンタクトラバーと、を有し、前記コンタクトラバーは、前記回路基板の上全面を覆うように形成されていることを特徴とするスイッチ装置を提供する。
【０００８】
［２］前記第１押圧機構部又は前記第２押圧機構部は、前記操作部の回転操作又は傾倒操作の動きを押圧動作として前記回路基板に伝えるプッシャーであることを特徴とする上記［１］に記載のスイッチ装置であってもよい。
【０００９】
［３］また、前記第１押圧機構部は、前記操作部の回転操作によるロッド及びロータの回転移動により前記ロータのカム部を介して切替プッシャーを押圧して前記回路基板側へ移動させ、前記第２押圧機構部は、前記操作部の傾倒操作によるロッド及びアクチュエータの傾倒移動により傾倒プッシャーを押圧して前記回路基板側へ移動させるものであることを特徴とする上記［２］に記載のスイッチ装置であってもよい。
【００１０】
［４］また、前記第１押圧機構部に対応した接点は、前記第２押圧機構部に対応した２つ以上の接点の間に設置されていることを特徴とする上記［１］から［３］のいずれか１に記載のスイッチ装置であってもよい。
【発明の効果】
【００１１】
本発明によれば、１つの操作ノブの回転操作と傾倒操作によって切替操作及びスイッチ操作が可能で、操作性、防水性に優れたスイッチ装置を提供することができる。
【図面の簡単な説明】
【００１２】
【図１】図１は、本発明の第１の実施の形態に係るスイッチ装置の全体斜視図である。
【図２】図２は、本発明の第１の実施の形態に係るスイッチ装置の分解斜視図である。
【図３】図３は、本発明の第１の実施の形態に係るスイッチ装置の操作軸ＣＬを含む縦断面図である。
【図４】図４は、本発明の第１の実施の形態に係るスイッチ装置の回路基板の接点パターン例を示す平面図である。
【図５】図５は、本発明の第１の実施の形態に係るスイッチ装置のスイッチ回路例を示す回路図である。
【図６】図６は、本発明の第２の実施の形態に係るスイッチ装置の全体斜視図である。
【図７】図７は、本発明の第２の実施の形態に係るスイッチ装置の分解斜視図である。
【図８】図８は、本発明の第２の実施の形態に係るスイッチ装置の操作軸ＣＬを含む縦断面図である。
【発明を実施するための形態】
【００１３】
（本発明の第１の実施の形態）
図１は、本発明の第１の実施の形態に係るスイッチ装置の全体斜視図である。図２は、本発明の第１の実施の形態に係るスイッチ装置の分解斜視図である。また、図３は、本発明の第１の実施の形態に係るスイッチ装置の操作軸ＣＬを含む縦断面図である。本発明の第１の実施の形態に係るスイッチ装置１は、操作部１０の回転操作により第１押圧スイッチ部を選択しスイッチ動作させる第１押圧機構部と、操作部１０の傾倒操作により第２押圧スイッチ部をスイッチ動作させる第２押圧機構部と、第１押圧スイッチ部、第２押圧スイッチ部が実装された回路基板６０と、回路基板６０と切替プッシャ１００及び傾倒プッシャ２００との間に介在し、各スイッチに対応した接点を有し、切替プッシャ１００と傾倒プッシャ２００の移動により各接点は各スイッチと接離してスイッチ動作を行なうコンタクトラバー７０と、を有し、コンタクトラバー７０は、回路基板６０の上全面を覆うように形成されて構成されている。
【００１４】
本発明の第１の実施の形態に係るスイッチ装置１は、操作部１０の回転操作により第１押圧スイッチ部により操作対象機器を選択し、操作部１０の傾倒操作により第２押圧スイッチ部を操作して選択された機器の操作を行なうので、１つの操作ノブで回転操作による切替と傾倒操作による十字方向へのスイッチ操作が可能である。また、第１押圧スイッチ部、第２押圧スイッチ部は摺動タイプではなくプッシャにより押圧してコンタクトラバー７０に設けられた接点が接離してスイッチ動作を行なうものであるので操作性に優れる。また、コンタクトラバー７０が回路基板６０の上全面を覆うように形成されて構成されているので防水性に優れる。
【００１５】
（操作部１０）
操作部１０は、図１に示すように、外観的には、ノブ１１とキャップ１２等から構成されている。また、図３に示すように、ノブ１１の内部には、ノブ１１をロッド１４に固定するための筒状の係合突起部１１ａが形成されている。操作部１０は、傾倒操作及び回転操作をするよう一体的に構成されたものであって、ノブ１１、キャップ１２の他に、アクチュエータ１３、ロッド１４等から構成されている。
【００１６】
図１に示すように、一体とされたノブ１１とキャップ１２による操作部１０は、操作軸ＣＬの回りの回転操作（Ａ方向）、及び、操作軸ＣＬに対して十字方向（Ｒ（右）方向、Ｌ（左）方向、Ｕ（上）方向、及び、ＬＷ（下）方向）への傾倒操作が可能である。
【００１７】
ノブ１１、及びキャップ１２は、例えば、樹脂、金属等により形成されている。
【００１８】
（ノブ１１）
ノブ１１とキャップ１２とは、一体とされて操作者の手指により把持される操作部１０とされている。ノブ１１は筒状とされ、その内部には、ノブ１１をロッド１４に固定するための筒状の係合突起部１１ａが形成されている。係合突起部１１ａには、後述するロッド１４の嵌合部１４ａが挿入されて嵌合し、係合突起部１１ａの先端に形成された係止部１１ｃにより、ロッド１４から離脱しないように固定されている。
【００１９】
また、略円筒形状のノブ１１の円筒部には、把持した状態で回転操作等を容易にするための滑り止めとして、ローレット加工されたローレット部１１ｂが設けられている。
【００２０】
（キャップ１２）
キャップ１２の上面１２ａには、このスイッチ装置１の操作方向である回転方向が矢印とＬ、Ｒの文字で表示されている。なお、これらの矢印、文字等は、背景印刷に対して白ヌキとすることにより、下方向から照射される光により照明表示されるようにすることができる。
【００２１】
（アクチュエータ１３）
アクチュエータ１３は、図２、図３に示すように、半球殻状の球殻部１３ａと、この球殻部１３ａから放射状に突出して設けられた押圧突起部１３ｂから概略構成され、例えば、樹脂等により形成されている。球殻部１３ａの球殻外部１３ｃは、ボデー４０側と当接し、球殻内部１３ｄは、ロッド１４側と当接する。また、球殻部１３ａの中央にはロッド１４が嵌合して貫通するための開口部１３ｅが形成されている。
【００２２】
放射状に８方向に突出して設けられた押圧突起部１３ｂは、操作部１０の傾倒操作により下方向に傾斜して移動し、後述する傾倒プッシャを回路基板側へ押圧する。すなわち、押圧突起部１３ｂの先端位置は、傾倒プッシャ２００（２００Ａ、２００Ｂ、２００Ｃ、２００Ｄ、２００Ｍ１、２００Ｍ２）に対応するように形成されている。なお、各押圧突起部１３ｂは、ボデー４０の案内溝（図示省略）にガイドされているので、傾倒動作は可能で、かつ、回転動作はできない構成とされている。
【００２３】
（ロッド１４）
ロッド１４は、上部には、ノブ１１と嵌合するための嵌合部１４ａが形成され、下部には、後述するロータ１６に対して当接して任意の方向に傾倒可能とするための球面部１４ｂ、ロータ１６と嵌合して一体的に回転するための突起部１４ｃが形成されている。また、ロッド１４の中間部には、傾倒操作時の可動範囲を規定するため、ボデー４０のストッパー開口部４０ｄと当接する段端１４ｅが設けられている。なお、このロッド１４は、樹脂等により形成されるが、透過性の樹脂により形成することにより、下側に位置するＬＥＤ等の光をキャップ１２の上面１２ａに導光して、上記した矢印や文字等を照明することができる。
【００２４】
ロッド１４は、図３に示すように、アクチュエータ１３の球殻内部１３ｄに当接する当接部１４ｄが形成されている。また、アクチュエータ１３の開口部１３ｅに対応して回転軸部１４ｆが形成されている。すなわち、ロッド１４は、回転軸部１４ｆ及び当接部１４ｄにおいてアクチュエータ１３と回転可能に嵌合している。一方、ロッド１４が傾倒操作される場合は、回転軸部１４ｆとアクチュエータ１３の開口部１３ｅが嵌合しているので、アクチュエータ１３はロッド１４と一体になって傾倒動作を行なう。
【００２５】
（ロータ１６）
ロータ１６は、例えば、樹脂、金属等により形成され、略円筒形状の本体部１６ａと、この本体部１６ａから円筒軸方向へ突出して設けられた係合突起部１６ｂとを有して構成されている。
【００２６】
係合突起部１６ｂは、ロッド１４の突起部１４ｃと回転方向に係合する。これにより、ノブ１１の回転操作による回転をロッド１４を介してロータ１６に伝えることができる。なお、ロータ１６の係合突起部１６ｂとロッド１４の突起部１４ｃとは、上下方向には移動を規制されないので、傾倒動作における上下移動（微小な移動）を許容できる。
【００２７】
本体部１６ａの下面端１６ｄがインナーボデー３０の底部３０ｄに当接することにより、図２、３で示す上下方向の位置決めがされる。また、本体部１６ａの上面端１６ｅがインナーボデー３０の押さえ部３０ｅに当接して上方向への離脱を阻止されて係止される。このような構成により、ロータ１６は、上下方向に位置決めがされると共に、インナーボデー３０に対して回転可能に支持される。本体部１６ａには、回転軸に直交する方向に貫通穴１６ｊが形成され、節度プッシャ１７がスライド可能に収容される。
【００２８】
本体部１６ａの下端面側には、下側にカム形状で突出して形成されたカム部１６ｈが形成されている。このカム部１６ｈの下面は後述する切替プッシャ１００の上端部と当接しており、ロータ１６の回転に応じて切替プッシャ１００（１００Ａ、１００Ｂ）のいずれか一方を下側に移動させる機能を備えている。
【００２９】
図３に示すように、本体部１６ａの上側には、ロッド１４の球面部１４ｂを受けるための受面部１６ｆが形成されている。この受面部１６ｆは、ロッド１４の球面部１４ｂに対応した凹球面の形状に形成されている。これにより、ノブ１１、キャップ１２、アクチュエータ１３、及びロッド１４は、図１で示したＲ（右）方向、Ｌ（左）方向、Ｕ（上）方向、及び、ＬＷ（下）方向の４方向（十字方向）へ傾倒操作をすることができる。
【００３０】
（インナーボデー３０）
インナーボデー３０は、例えば、樹脂、金属等により、略円筒形状の本体部３０ａで形成され、本体部３０ａには、ロータ１６を収容するための収容部３０ｂが形成されている。収容部３０ｂの内側円筒面には節度溝部３０ｃが形成され、上記したロータ１６が、バネ１８により付勢されて本体部１６ａから突出する節度プッシャ１７が当接することにより、節度感を出すように構成されている。
【００３１】
収容部３０ｂには、ロータ１６の下面端１６ｄが当接して上下方向の位置決めとなる
底部３０ｄが形成されている。この底部３０ｄには、図３に示すように、切替プッシャ１００のガイドとなるガイド穴３０ｊが２箇所に形成されている。また、回転可能に収容したロータ１６が回転軸の方向に離脱しないようにするため、ロータ１６の上面端１６ｅを押さえる押さえ部３０ｅが形成されている。
【００３２】
本体部３０ａの外側円筒面には、後述するボデー４０に収容されて回転軸方向の位置決めと回転を規制するための突起部３０ｇが１８０°対向する２箇所に形成されている。また、ボデー４０に収容されて固定するための爪部３０ｆが形成されている。また、後述する切替プッシャ１００が下方向へ移動する際の回り止めガイドとなるガイド壁３０ｈが設けられている。
【００３３】
（ボデー４０）
図２、３に示すように、ボデー４０は、樹脂、金属等により形成され、内部に回路基板６０、コンタクトラバー７０、切替プッシャ１００、傾倒プッシャ２００等を収容する空間部４０ｆを有する箱状の本体部４０ａと、本体部４０ａの上部に円筒状に形成された支持部４０ｂと、この支持部４０ｂから上方向にドーム状に形成されたドーム部４０ｃから構成されている。
【００３４】
ドーム部４０ｃは、アクチュエータ１３の球殻外部１３ｃと回転可能に当接する。すなわち、傾倒操作時に回転可能に支持できるように、同じ曲率で形成されている。また、ドーム部４０ｃの中央には、ロッド１４の段端１４ｅの傾倒範囲を規制するストッパー開口部４０ｄが形成されている。
【００３５】
さらに、図３に示すように、支持部４０ｂには、操作軸ＣＬの方向に、傾倒プッシャ２００のガイドとなるガイド穴４０ｊが貫通して形成されている。
【００３６】
また、図３に示すように、本体部４０ａの空間部４０ｆには、回路基板６０、コンタクトラバー７０が収容されて、下側からカバー５０により固定されている。回路基板６０、コンタクトラバー７０は、回路基板６０の上面６０ａとコンタクトラバー７０の内側天部７０ｆが当接し、コンタクトラバー７０の上面部７０ａが空間部４０ｆの内段部４０ｍに当接した状態で下方向からカバー５０により押し当てられて固定されている。
【００３７】
（第１押圧機構部）
第１押圧機構部は、操作部１０の回転操作により第１押圧スイッチ部を選択しスイッチ動作させる機構であって、上記説明した、操作部１０（ノブ１１、キャップ１２）、ロッド１４、ロータ１６、切替プッシャ１００等から構成されている。ここで、第１押圧スイッチ部は、後述する回路基板６０上に形成された回転操作に基づいてオンオフする接点パターンである。
【００３８】
切替プッシャ１００（１００Ａ、１００Ｂ）は、軸部１０１とコンタクトラバー７０を介して第１押圧スイッチ部を押圧する押圧操作部１０２から構成されている。軸部１０１は、インナーボデー３０のガイド穴３０ｊにスライド可能にガイドされている。切替プッシャ１００（１００Ａ、１００Ｂ）は、コンタクトラバー７０の弾性力によりロータ１６側へ付勢されている。操作部１０の回転操作に応じて、切替プッシャ１００Ａ又は１００Ｂがロータ１６のカム部１６ｈによりコンタクトラバー７０の弾性力に抗して回路基板６０側へ押圧される。
【００３９】
（第２押圧機構部）
第２押圧機構部は、操作部１０（ノブ１１、キャップ１２）の傾倒操作により第２押圧スイッチ部を選択しスイッチ動作させる機構であって、上記説明した、操作部１０、アクチュエータ１３、ロッド１４、傾倒プッシャ２００等から構成されている。ここで、第２押圧スイッチ部は、後述する回路基板６０上に形成された傾倒操作に基づいてオンオフする接点パターンである。
【００４０】
傾倒プッシャ２００（２００Ａ、２００Ｂ、２００Ｃ、２００Ｄ、２００Ｍ１、２００Ｍ２）は、軸部２０１とコンタクトラバー７０を介して第２押圧スイッチ部を押圧する押圧操作部２０２から構成されている。軸部２０１は、ボデー４０のガイド穴４０ｊにスライド可能にガイドされている。傾倒プッシャ２００（２００Ａ、２００Ｂ、２００Ｃ、２００Ｄ、２００Ｍ１、２００Ｍ２）は、コンタクトラバー７０の弾性力によりアクチュエータ１３側へ付勢されている。操作部１０の傾倒操作に応じて、傾倒した側の傾倒プッシャ２００（２００Ａ、２００Ｂ、２００Ｃ、２００Ｄ、２００Ｍ１、２００Ｍ２）がアクチュエータ１３の押圧突起部１３ｂによりコンタクトラバー７０の弾性力に抗して回路基板６０側へ押圧される。
【００４１】
（回路基板６０）
図４は、本発明の第１の実施の形態に係るスイッチ装置の回路基板の接点パターン例を示す平面図である。回路基板６０は、エポキシ、ガラスエポキシ、セラミック等の基板に接点パターンが形成され、必要な配線パターン、素子実装のためのランド、等が形成され、必要に応じてコネクタ等が設けられている。配線用のコネクタ８０は、カバーの任意の位置から出すことができ、車両ハーネスと結線可能とされている。なお、図４で示す回路基板の接点パターン例は、接点パターンのみを図示し、その他の配線パターン、ランド等は図示省略している。
【００４２】
第１押圧スイッチ部は、回路基板６０上に形成された、回転操作に基づいてオンオフする接点パターンである。図４で示すように、第１押圧スイッチ部は、回路基板６０上に形成された接点６１Ａ、６１Ｂ、６１Ｃ、６１Ｄである。この第１押圧機構部に対応した接点（６１Ａ、６１Ｂ、６１Ｃ、６１Ｄ）は、後述する第２押圧機構部に対応した２つ以上の接点（６２Ａ、６２Ｂ、６２Ｃ、６２Ｄ、６３、６４）の間に設置されている。ここで、各接点６１Ａ、６１Ｂ、６１Ｃ、６１Ｄは、それぞれの位置の上側に位置するコンタクトラバー７０の接点板７０ｅが切替プッシャ１００（１００Ａ、１００Ｂ）により押圧されることによりそれぞれ導通してスイッチオンとなる。
【００４３】
第２押圧スイッチ部は、回路基板６０上に形成された、傾倒操作に基づいてオンオフする接点パターンである。図４で示すように、第２押圧スイッチ部は、回路基板６０上に形成された接点６２Ａ、６２Ｂ、６２Ｃ、６２Ｄ、６３、６４である。ここで、各接点６２Ａ、６２Ｂ、６２Ｃ、６２Ｄ、６３、６４は、それぞれの位置の上側に位置するコンタクトラバー７０の接点板７０ｅが傾倒プッシャ２００（２００Ａ、２００Ｂ、２００Ｃ、２００Ｄ、２００Ｍ１、２００Ｍ２）により押圧されることによりそれぞれ導通してスイッチオンとなる。
【００４４】
（コンタクトラバー７０）
コンタクトラバー７０は、シリコン等のエラストマ（ゴム）により形成されたもので、上面部７０ａ、側面部７０ｂ、第１押圧スイッチ部及び第２押圧スイッチ部に対応して上に凸形状に形成されたドーム部７０ｃ、７０ｄが一体に形成されたものである。このコンタクトラバー７０は、図３に示すように、回路基板６０上を上面部７０ａ、ドーム部７０ｃ、７０ｄで覆い、かつ、回路基板６０の側面全部を側面部７０ｂで包み込むようにして装着される。ドーム部７０ｃ、７０ｄは、それぞれ切替プッシャ１００（１００Ａ、１００Ｂ）と傾倒プッシャ２００（２００Ａ、２００Ｂ、２００Ｃ、２００Ｄ、２００Ｍ１、２００Ｍ２）に対応して形成され、それぞれのプッシャに対して操作部１０側へゴムの弾性力により付勢して、押圧動作に対する抵抗力となる。
【００４５】
図３に示すように、各ドーム部の下端部には導電性の接点板７０ｅが装着されている。これにより、回転操作又は傾倒操作で各プッシャが下方向へ移動してきて接点板７０ｅが回路基板６０上の各接点（６１Ａ、６１Ｂ、６１Ｃ、６１Ｄ、６２Ａ、６２Ｂ、６２Ｃ、６２Ｄ、６３、６４）に接触することにより、各接点が導通状態となり、スイッチのオン動作が実行されることになる。
【００４６】
（組み立て）
上記説明した各構成部品の組み立て手順を、図２、３により簡単に説明する。まず、アクチュエータ１３、ロッド１４、ロータ１６、インナーボデー３０を、図２で示す下方向からボデー４０の空間部４０ｆへ挿入する。なお、ロータ１６の貫通穴１６ｊには、節度プッシャ１７及びバネ１８を予め組み付けておく。ロッド１４の突起部１４ｃは、ロータ１６の係合突起部１６ｂの間に嵌まり込む。また、インナーボデー３０の突起部３０ｇは、ボデー４０の位置決め穴部（図示省略）に位置決めされる。この状態で、インナーボデー３０の爪部３０ｆがボデー４０の係合部（図示省略）に嵌合して固定される。
【００４７】
切替プッシャ１００をインナーボデー３０のガイド穴３０ｊに挿入し、また、傾倒プッシャ２００をボデー４０のガイド穴４０ｊに挿入する。この状態で、コンタクトラバー７０、回路基板６０を下方向からボデー４０側へカバー５０により押し当てながら固定する。カバー５０の爪部５０ａがボデー４０の係止穴４０ｎに嵌まり込んで固定される。なお、回路基板６０には、予めコネクタ８０等を実装しておく。
【００４８】
（回路構成）
図５は、本発明の第１の実施の形態に係るスイッチ装置のスイッチ回路例を示す回路図である。この回路４００は、例えば、車両用の電動ミラーをコントロールするための回路例であって、左右のミラーを操作部の回転操作により選択し、選択したミラーの上下左右方向の傾き移動を操作部の傾倒操作により行なうものである。
【００４９】
左ミラー５００には、ミラーを左右方向及び上下方向に動作させるためのモータ４１０、４２０が搭載されている。また、右ミラー５１０には、ミラーを左右方向及び上下方向に動作させるためのモータ４３０、４４０が搭載されている。
【００５０】
図５に示すように、左ミラー５００のモータ４１０は、一端が接点６４を介してグランド（ＧＮＤ）及び接点６３を介してＡＣＣ電源に接続されている。また、モータ４１０の他の一端は接点６１Ａに接続され、接点６１Ａの他端側は、グランド（ＧＮＤ）に接続された接点６２Ｄ、及び、ＡＣＣ電源に接続された接点６２Ｃに接続されている。
【００５１】
左ミラー５００のモータ４２０は、一端が接点６４を介してグランド（ＧＮＤ）及び接点６３を介してＡＣＣ電源に接続されている。また、モータ４２０の他の一端は接点６１Ｃに接続され、接点６１Ｃの他端側は、グランド（ＧＮＤ）に接続された接点６２Ｂ、及び、ＡＣＣ電源に接続された接点６２Ａに接続されている。
【００５２】
また、右ミラー５１０のモータ４３０は、一端が接点６４を介してグランド（ＧＮＤ）及び接点６３を介してＡＣＣ電源に接続されている。また、モータ４３０の他の一端は接点６１Ｂに接続され、接点６１Ｂの他端側は、グランド（ＧＮＤ）に接続された接点６２Ｄ、及び、ＡＣＣ電源に接続された接点６２Ｃに接続されている。
【００５３】
右ミラー５１０のモータ４４０は、一端が接点６４を介してグランド（ＧＮＤ）又は接点６３を介してＡＣＣ電源に接続されている。また、モータ４４０の他の一端は接点６１Ｄに接続され、接点６１Ｄの他端側は、グランド（ＧＮＤ）に接続された接点６２Ｂ、及び、ＡＣＣ電源に接続された接点６２Ａに接続されている。
【００５４】
回転操作によって導通する接点は、接点６１Ａ、６１Ｃまたは接点６１Ｂ、６１Ｄのいずれか一方である。
【００５５】
傾倒操作によって導通する接点は、接点６２Ａ、６２Ｂ、６２Ｃ、６２Ｄのいずれか１つである。また、接点６４は、接点６２Ａまたは接点６２Ｃが導通するときに導通する。また、接点６３は、接点６２Ｂまたは接点６２Ｄが導通するときに導通する。
【００５６】
（スイッチ装置１の回転操作による動作）
操作部１０の回転操作は、左ミラー５００か右ミラー５１０のいずれのミラーを動作させるかを選択する操作である。図１で示したように、操作部１０を図示Ａ方向に回転させて、Ｌ（左ミラー）またはＲ（右ミラー）の位置にセットする。
【００５７】
例えば、操作部１０（ノブ１１、キャップ１２）を反時計方向に回転させてＬ（左ミラー）の位置にセットする。操作部１０の回転に伴って、ロッド１４、ロータ１６が回転する。このロータ１６の回転により、ロータ１６のカム部１６ｈが切替プッシャ１００Ａを下方向に移動させる。これにより、切替プッシャ１００Ａに対応したコンタクトラバー７０の接点板７０ｅが接点６１Ａ、６１Ｃに接触して接点６１Ａ、６１Ｃが導通する。
【００５８】
同様に、操作部１０を時計方向に回転させてＲ（右ミラー）の位置にセットした場合は、操作部１０の回転に伴って、ロッド１４、ロータ１６が回転する。このロータ１６の回転により、ロータ１６のカム部１６ｈが切替プッシャ１００Ｂを下方向に移動させる。これにより、切替プッシャ１００Ｂに対応したコンタクトラバー７０の接点板７０ｅが接点６１Ｂ、６１Ｄに接触して接点６１Ｂ、６１Ｄが導通する。
【００５９】
（スイッチ装置１の傾倒操作による動作）
操作部１０の傾倒操作は、選択された左ミラー５００又は右ミラー５１０のいずれのミラーの傾き移動を行なうものである。以下では、操作部１０を反時計方向に回転させてＬ（左ミラー）の位置にセットして左ミラー５００を選択し、Ｕ（上）方向の傾倒操作を行なう例について説明する。
【００６０】
左ミラー５００が選択されているので、図５においては、接点６１Ａ、６１Ｃが導通している状態である。
【００６１】
操作部１０（ノブ１１、キャップ１２）のＵ（上）方向の傾倒操作により、操作部１０は、ロッド１４の球面部１４ｂがロータ１６の受面部１６ｆ上で回転する。これにより、操作部１０、アクチュエータ１３、ロッド１４が一体的に傾倒する。この傾倒操作により、アクチュエータ１３の傾倒した位置の押圧突起部１３ｂが傾倒プッシャ２００Ｃを下方向に移動させる。これにより、傾倒プッシャ２００Ｃに対応したコンタクトラバー７０の接点板７０ｅが接点６２Ｃに接触して接点６２Ｃが導通する。また、この傾倒操作により、押圧突起部１３ｂが傾倒プッシャ２００Ｍ２を下方向に移動させる。これにより、傾倒プッシャ２００Ｍ２に対応したコンタクトラバー７０の接点板７０ｅが接点６４に接触して接点６４が導通する。
【００６２】
上記のことから、図５に示す回路図を参照すれば、接点６１Ａ、接点６２Ｃ、及び、接点６４が導通するので、左ミラー５００のモータ４１０が駆動され、ミラーのＵ（上）方向への調整を行なうことができる。
【００６３】
同様の動作により、操作部１０のＬＷ（下）方向への傾倒操作により、接点６１Ａ、接点６２Ｄ、及び、接点６３が導通するので、左ミラー５００のモータ４１０が駆動され、ミラーのＬＷ（下）方向への調整を行なうことができる。
【００６４】
すなわち、操作部１０のＵ（上）方向の傾倒操作とＬＷ（下）方向の傾倒操作において、モータ４１０には逆方向の電流が流れるので、左ミラー５００のモータ４１０によりＵ（上）方向又はＬＷ（下）方向のミラー調整を行なうことができる。
【００６５】
上記と同様に、操作部１０のＲ（右）方向とＬ（左）方向の傾倒操作により、左ミラー５００のモータ４２０によりＲ（右）方向又はＬ（左）方向のミラー調整を行なうことができる。
【００６６】
右ミラー５１０が選択されている場合についても、Ｒ（右）方向、Ｌ（左）方向、Ｕ（上）方向、及び、ＬＷ（下）方向の４方向（十字方向）へのミラー調整を行なうことができる。
【００６７】
図４に示すように、６５で示す位置に、例えば、ＬＥＤの光源を実装し、透過性を有するコンタクトラバー７０及びロッド１４を介してキャップ１２の上面１２ａに導光し、キャップ１２の上面１２ａに表示された矢印や文字等を照明することができる。
【００６８】
（本発明の第２の実施の形態）
図６は、本発明の第２の実施の形態に係るスイッチ装置の全体斜視図である。図７は、本発明の第２の実施の形態に係るスイッチ装置の分解斜視図である。また、図８は、本発明の第２の実施の形態に係るスイッチ装置の操作軸ＣＬを含む縦断面図である。本発明の第２の実施の形態に係るスイッチ装置１００１は、操作部１０１０の回転操作により第１押圧スイッチ部を選択しスイッチ動作させる第１押圧機構部と、操作部１０１０の傾倒操作により第２押圧スイッチ部をスイッチ動作させる第２押圧機構部と、第１押圧スイッチ部、第２押圧スイッチ部が実装された回路基板６０と、回路基板６０と切替プッシャ１１００及び傾倒プッシャ１２００との間に介在し、各スイッチに対応した接点を有し、切替プッシャ１１００と傾倒プッシャ１２００の移動により各接点は各スイッチと接離してスイッチ動作を行なうコンタクトラバー１０７０と、を有し、コンタクトラバー１０７０は、回路基板６０の上全面を覆うように形成されて構成されている。
【００６９】
本発明の第２の実施の形態に係るスイッチ装置１００１は、操作部１０１０の回転操作により第１押圧スイッチ部により操作対象機器を選択し、操作部１０１０の傾倒操作により第２押圧スイッチ部を操作して選択された機器の操作を行なうので、１つの操作ノブで回転操作による切替と傾倒操作による十字方向へのスイッチ操作が可能である。また、第１押圧スイッチ部、第２押圧スイッチ部は摺動タイプではなくプッシャにより押圧してコンタクトラバー１０７０に設けられた接点が接離してスイッチ動作を行なうものであるので操作性に優れる。また、コンタクトラバー１０７０が回路基板６０の上全面を覆うように形成されて構成されているので防水性に優れる。
【００７０】
以下、本発明の第１の実施の形態と異なる機構によるスイッチ装置１００１を示す。図４、図５は、第１の実施の形態と同じであるので、以下、図６〜図８に示す異なる構成について説明する。
【００７１】
（操作部１０１０）
操作部１０１０は、図６に示すように、外観的には、上ノブ１０１１、下ノブ１０１２、キャップ１０１３等から構成されている。また、図７に示すように、その内部には、上ノブ１０１１の動きを伝達するための、ロッド１０１４、ホルダ１０１５、ロータ１０１６等から構成されている。
【００７２】
操作部１０１０において、図６に示す操作軸ＣＬの回りの回転操作に寄与するものは、上ノブ１０１１とキャップ１０１３であり、操作軸ＣＬに対して十字方向（Ｒ（右）方向、Ｌ（左）方向、Ｕ（上）方向、及び、ＬＷ（下）方向）への傾倒操作に寄与するものは、上ノブ１０１１、キャップ１０１３、及び、下ノブ１０１２である。
【００７３】
上ノブ１０１１、下ノブ１０１２、及びキャップ１０１３は、例えば、樹脂、金属等により形成されている。
【００７４】
（上ノブ１０１１）
上ノブ１０１１とキャップ１０１３とは、キャップ１０１３の爪部１０１３ａにより上ノブ１０１１の筒部内部の係止部（図示省略）に係合して互いに固定されている。また、上ノブ１０１１は、係合突起部１０１１ａ係合突起部１０１１ａが下ノブ１０１２の係合鈎部１０１２ａに係合されることにより、互いに回転可能に嵌合している。これにより、上ノブ１０１１及びキャップ１０１３は一体的に構成された状態で、下ノブ１０１２や後述するボデー１０４０等に対して、図６に示すように操作軸ＣＬの回りに、手指等によって把持されて回転操作がされる。
【００７５】
また、上ノブ１０１１、下ノブ１０１２、及びキャップ１０１３は、手指等によって把持された一体状態で、ボデー１０４０等に対して、図６に示すように操作軸ＣＬに対して十字方向（Ｒ（右）方向、Ｌ（左）方向、Ｕ（上）方向、及び、ＬＷ（下）方向）への傾倒操作がされる。
【００７６】
また、略円筒形状の上ノブ１０１１の円筒部には、把持した状態で回転操作等を容易にするための滑り止めとして、ローレット加工されたローレット部１０１１ｂが設けられている。
【００７７】
（キャップ１０１３）
キャップ１０１３の上面１０１３ｂには、このスイッチ装置１００１の操作方向である回転方向が矢印とＬ、Ｒの文字で表示されている。なお、これらの矢印、文字等は、背景印刷に対して白ヌキとすることにより、下方向から照射される光により照明表示されるようにすることができる。
【００７８】
（下ノブ１０１２）
下ノブ１０１２は、略円筒形状とされ、円筒部の１８０度対向した位置に、後述するホルダ１０１５を両端で支持する支持穴１０１２ｂが形成されている。上記したように、下ノブ１０１２は、回転操作においては操作部としては機能せず、傾倒操作においては操作部としては機能する。
【００７９】
図７、８に示すように、下ノブ１０１２は、ホルダ１０１５により支持穴１０１２ｂで揺動可能に支持される。また、下ノブ１０１２は、ボデー１０４０の支持穴１０４０ｃにより揺動可能に支持されたホルダ１０１５と共に揺動可能に支持される。これにより、図６に示すように操作軸ＣＬに対して十字方向（Ｒ（右）方向、Ｌ（左）方向、Ｕ（上）方向、及び、ＬＷ（下）方向）への傾倒操作が可能となる。
【００８０】
ここで、下ノブ１０１２の下端には、図８に示すように傾倒操作時に後述する傾倒プッシャ１２００を下方向へ押圧する突起部１０１２ｃが形成されている。この突起部１０１２ｃは、傾倒プッシャ１２００に対応して複数設けられている。
【００８１】
（ロッド１０１４）
ロッド１０１４は、上部には、図６で示す回転方向Ａに対して上ノブ１０１１の内溝部１０１１ｃとスライド可能で、かつ一体的に回転するための嵌合部１０１４ａが形成され、下部には、後述するロータ１０１６に当接する球面部１０１４ｂ、ロータ１０１６と嵌合して一体的に回転するための突起部１０１４ｃが形成されている。嵌合部１０１４ａと球面部１０１４ｂ及び突起部１０１４ｃとは、円柱状のロッド部１０１４ｄにより接続されて一体化されている。なお、このロッド１０１４は、樹脂等により形成されるが、透過性の樹脂により形成することにより、下側に位置するＬＥＤ等の光をキャップ１０１３の上面１０１３ｂに導光して、上記した矢印や文字等を照明することができる。
【００８２】
（ホルダ１０１５）
ホルダ１０１５は、例えば、樹脂、金属等により形成され、下ノブ１０１２に対して第１の方向に回転可能に連結され、また、後述するボデー１０４０に対して第２の方向に回転可能に連結される。上記した第１の方向と第２の方向とは互いに直交している。これにより、下ノブ１０１２、すなわち、一体的に構成された上ノブ１０１１、下ノブ１０１２、及びキャップ１０１３は、ボデー１０４０に対して、直交する方向へ傾倒操作することができる。すなわち、図６に示したＲ（右）方向、Ｌ（左）方向、Ｕ（上）方向、及び、ＬＷ（下）方向の４方向へ傾倒操作をすることができる。
【００８３】
ホルダ１０１５は、環状部１０１５ａと、この環状部１０１５ａの１８０度対向した位置から外へ向かって突出して形成された嵌合部１０１５ｂと、嵌合部１０１５ｂと直交して外へ向かって突出して形成された嵌合部１０１５ｃとから構成されている。
【００８４】
嵌合部１０１５ｂは、その先端部が下ノブ１０１２の支持穴１０１２ｂに回転可能に嵌合する。これにより、図６で示したＲ（右）方向、Ｌ（左）方向に傾倒動作をすることができる。一方、嵌合部１０１５ｃは、ボデー１０４０の支持穴１０４０ｃに回転可能に嵌合する。これにより、図６で示したＵ（上）方向、ＬＷ（下）方向に傾倒動作をすることができる。
【００８５】
（ロータ１０１６）
ロータ１０１６は、例えば、樹脂、金属等により形成され、略円筒形状の本体部１０１６ａと、この本体部１０１６ａから円筒軸方向へ突出して設けられた係合突起部１０１６ｂとを有して構成されている。
【００８６】
係合突起部１０１６ｂは、ロッド１０１４の突起部１０１４ｃと回転方向に係合する。これにより、上ノブ１０１１の回転操作による回転をロッド１０１４を介してロータ１０１６に伝えることができる。なお、ロータ１０１６の係合突起部１０１６ｂとロッド１０１４の突起部１０１４ｃとは、上下方向には移動を規制されないので、傾倒動作における上下移動（微小な移動）を許容できる。
【００８７】
本体部１０１６ａには、フランジ部１０１６ｃが設けられ、このフランジ部１０１６ｃの下面端１０１６ｄがボデー１０４０の下段部１０４０ｄに当接することにより、図７、８で示す上下方向に位置決めがされる。また、フランジ部１０１６ｃの上面端１０１６ｅがボデー１０４０の上段部１０４０ｅに当接して上方向への離脱を阻止されて係止される。このような構成により、ロータ１０１６は、上下方向に位置決めがされると共に、ボデー１０４０に対して回転可能に支持される。
【００８８】
本体部１０１６ａの下端面側には、下側にカム形状で突出して形成されたカム部１０１６ｈが形成されている。このカム部１０１６ｈの下面は後述する切替プッシャ１１００の上端部と当接しており、ロータ１０１６の回転に応じて切替プッシャ１１００（１１００Ａ、１１００Ｂ）のいずれか一方を下側に移動させる機能を備えている。
【００８９】
図８に示すように、本体部１０１６ａの上面には、ロッド１０１４の球面部１０１４ｂを受けるための受面部１０１６ｆが形成されている。この受面部１０１６ｆは、ロッド１０１４の球面部１０１４ｂに対応した凹球面の形状に形成されている。これにより、上ノブ１０１１、下ノブ１０１２、キャップ１０１３、及びロッド１０１４は、図８に示すような任意の傾倒方向（例えば、ＣＬ１方向）へ動作することができる。ただし、前述のように、ホルダ１０１５と下ノブ１０１２、ホルダ１０１５とボデー１０４０の支持方向により、図６で示したＲ（右）方向、Ｌ（左）方向、Ｕ（上）方向、及び、ＬＷ（下）方向の４方向（十字方向）へのみ傾倒操作をすることができる。
【００９０】
（ボデー１０４０）
ボデー１０４０は、樹脂、金属等により形成され、内部に回路基板６０、コンタクトラバー１０７０、切替プッシャ１１００、傾倒プッシャ１２００等を収容する空間部１０４０ｆを有する箱状の本体部１０４０ａと、本体部１０４０ａの上部に形成されホルダ１０１５を揺動可能に支持する支持部１０４０ｂとで構成されている。
【００９１】
図７、８に示すように、支持部１０４０ｂには、ホルダ１０１５の嵌合部１０１５ｃと回転可能に嵌合して支持する支持穴１０４０ｃが形成されている。また、支持部１０４０ｂの内部には、ロータ１０１６の本体部１０１６ａが回転可能に嵌合する嵌合穴部１０４０ｋが形成されている。また、ロータ１０１６のフランジ部１０１６ｃの下面端１０１６ｄと当接する下段部１０４０ｄ、及び、上面端１０１６ｅが当接してロータ１０１６が上方向への離脱を阻止されて係止される上段部１０４０ｅが形成されている。
【００９２】
また、図７に示すように、嵌合穴部１０４０ｋの一部には、ロータ１０１６に装着されてバネ１０１８により付勢されて本体部１０１６ａから突出する節度プッシャ１０１７が当接して節度感を出すための節度溝１０４０ｇが形成されている。
【００９３】
さらに、支持部１０４０ｂには、操作軸ＣＬの方向に、後述する切替プッシャ１１００のガイドとなるガイド穴１０４０ｈ、傾倒プッシャ１２００のガイドとなるガイド穴１０４０ｊが貫通して形成されている。
【００９４】
また、図７、８に示すように、本体部１０４０ａの空間部１０４０ｆには、回路基板６０、コンタクトラバー１０７０が収容されて、下側からカバー１０５０により固定されている。回路基板６０、コンタクトラバー１０７０は、回路基板６０の上面６０ａとコンタクトラバー１０７０の内側天部１０７０ｆが当接し、コンタクトラバー１０７０の上面部１０７０ａが空間部１０４０ｆの内段部１０４０ｍに当接した状態で下方向からカバー１０５０により押し当てられて固定されている。
【００９５】
（第１押圧機構部）
第１押圧機構部は、操作部１０１０の回転操作により第１押圧スイッチ部を選択しスイッチ動作させる機構であって、上記説明した、操作部１０１０（上ノブ１０１１、キャップ１０１３）、ロッド１０１４、ロータ１０１６、切替プッシャ１１００等から構成されている。ここで、第１押圧スイッチ部は、後述する回路基板６０上に形成された回転操作に基づいてオンオフする接点パターンである。
【００９６】
切替プッシャ１１００（１１００Ａ、１１００Ｂ）は、軸部１１０１とコンタクトラバー１０７０を介して第１押圧スイッチ部を押圧する押圧操作部１０１０２から構成されている。軸部１１０１は、ボデー１０４０のガイド穴１０４０ｈにスライド可能にガイドされている。切替プッシャ１１００（１１００Ａ、１１００Ｂ）は、コンタクトラバー１０７０の弾性力によりロータ１０１６側へ付勢されている。操作部１０１０の回転操作に応じて、切替プッシャ１１１００Ａ又は１１００Ｂがロータ１０１６のカム部１０１６ｈによりコンタクトラバー１０７０の弾性力に抗して回路基板６０側へ押圧される。
【００９７】
（第２押圧機構部）
第２押圧機構部は、操作部１０１０（上ノブ１０１１、下ノブ１０１２、キャップ１０１３）の傾倒操作により第２押圧スイッチ部を選択しスイッチ動作させる機構であって、上記説明した、操作部１０１０、ロッド１０１４、ホルダ１０１５、傾倒プッシャ１２００等から構成されている。ここで、第２押圧スイッチ部は、後述する回路基板６０上に形成された傾倒操作に基づいてオンオフする接点パターンである。
【００９８】
傾倒プッシャ１２００（１２００Ａ、１２００Ｂ、１２００Ｃ、１２００Ｄ、１２００Ｍ１、１２００Ｍ２）は、軸部１２０１とコンタクトラバー１０７０を介して第２押圧スイッチ部を押圧する押圧操作部１２０２から構成されている。軸部１２０１は、ボデー１０４０のガイド穴１０４０ｊにスライド可能にガイドされている。傾倒プッシャ１２００（１２００Ａ、１２００Ｂ、１２００Ｃ、１２００Ｄ、１２００Ｍ１、１２００Ｍ２）は、コンタクトラバー１０７０の弾性力により下ノブ１０１２側へ付勢されている。操作部１０１０の傾倒操作に応じて、傾倒プッシャ１２００（１２００Ａ、１２００Ｂ、１２００Ｃ、１２００Ｄ、１２００Ｍ１、１２００Ｍ２）が下ノブ１０１２の各突起部１０１２ｃによりコンタクトラバー１０７０の弾性力に抗して回路基板６０側へ押圧される。
【００９９】
（回路基板６０）
本発明の第２の実施の形態に係るスイッチ装置の回路基板６０は、図４で示す第１の実施の形態と同じであるので、説明を省略する。
【０１００】
第１押圧スイッチ部は、回路基板６０上に形成された、回転操作に基づいてオンオフする接点パターンである。図４で示すように、第１押圧スイッチ部は、回路基板６０上に形成された接点６１Ａ、６１Ｂ、６１Ｃ、６１Ｄである。この第１押圧機構部に対応した接点（６１Ａ、６１Ｂ、６１Ｃ、６１Ｄ）は、後述する第２押圧機構部に対応した２つ以上の接点（６２Ａ、６２Ｂ、６２Ｃ、６２Ｄ、６３、６４）の間に設置されている。ここで、各接点６１Ａ、６１Ｂ、６１Ｃ、６１Ｄは、それぞれの位置の上側に位置するコンタクトラバー１０７０の接点板１０７０ｅが切替プッシャ１１００（１１００Ａ、１１００Ｂ）により押圧されることによりそれぞれ導通してスイッチオンとなる。
【０１０１】
第２押圧スイッチ部は、回路基板６０上に形成された、傾倒操作に基づいてオンオフする接点パターンである。図４で示すように、第２押圧スイッチ部は、回路基板６０上に形成された接点６２Ａ、６２Ｂ、６２Ｃ、６２Ｄ、６３、６４である。ここで、各接点６２Ａ、６２Ｂ、６２Ｃ、６２Ｄ、６３、６４は、それぞれの位置の上側に位置するコンタクトラバー１０７０の接点板１０７０ｅが傾倒プッシャ１２００（１２００Ａ、１２００Ｂ、１２００Ｃ、１２００Ｄ、１２００Ｍ１、１２００Ｍ２）により押圧されることによりそれぞれ導通してスイッチオンとなる。
【０１０２】
（コンタクトラバー１０７０）
コンタクトラバー１０７０は、シリコン等のエラストマ（ゴム）により形成されたもので、上面部１０７０ａ、側面部１０７０ｂ、第１押圧スイッチ部及び第２押圧スイッチ部に対応して上に凸形状に形成されたドーム部１０７０ｃ、１０７０ｄが一体に形成されたものである。このコンタクトラバー１０７０は、図８に示すように、回路基板６０上を上面部１０７０ａ、ドーム部１０７０ｃ、１０７０ｄで覆い、かつ、回路基板６０の側面全部を側面部１０７０ｂで包み込むようにして装着される。ドーム部１０７０ｃ、１０７０ｄは、それぞれ切替プッシャ１１００（１１００Ａ、１１００Ｂ）と傾倒プッシャ１２００（１２００Ａ、１２００Ｂ、１２００Ｃ、１２００Ｄ、１２００Ｍ１、１２００Ｍ２）に対応して形成され、それぞれのプッシャに対して操作部１０１０側へゴムの弾性力により付勢して、押圧動作に対する抵抗力となる。
【０１０３】
図８に示すように、各ドーム部の下端部には導電性の接点板１０７０ｅが装着されている。これにより、回転操作又は傾倒操作で各プッシャが下方向へ移動してきて接点板１０７０ｅが回路基板６０上の各接点（６１Ａ、６１Ｂ、６１Ｃ、６１Ｄ、６２Ａ、６２Ｂ、６２Ｃ、６２Ｄ、６３、６４）に接触することにより、各接点が導通状態となり、スイッチのオン動作が実行されることになる。
【０１０４】
（スイッチ回路）
図５で示した第１の実施の形態におけるスイッチ回路は、本発明の第２の実施の形態においても同様であるので、説明を省略する。
【０１０５】
（スイッチ装置１００１の回転操作による動作）
操作部１０１０の回転操作は、左ミラー５００か右ミラー５１０のいずれのミラーを動作させるかを選択する操作である。図６で示したように、操作部１０１０を図示Ａ方向に回転させて、Ｌ（左ミラー）またはＲ（右ミラー）の位置にセットする。
【０１０６】
例えば、操作部１０１０（上ノブ１０１１、キャップ１０１３）を反時計方向に回転させてＬ（左ミラー）の位置にセットする。操作部１０１０の回転に伴って、ロッド１０１４、ロータ１０１６が回転する。このロータ１０１６の回転により、ロータ１０１６のカム部１０１６ｈが切替プッシャ１１１００Ａを下方向に移動させる。これにより、切替プッシャ１１１００Ａに対応したコンタクトラバー１０７０の接点板１０７０ｅが接点６１Ａ、６１Ｃに接触して接点６１Ａ、６１Ｃが導通する。
【０１０７】
同様に、操作部１０１０を時計方向に回転させてＲ（右ミラー）の位置にセットした場合は、操作部１０１０の回転に伴って、ロッド１０１４、ロータ１０１６が回転する。このロータ１０１６の回転により、ロータ１０１６のカム部１０１６ｈが切替プッシャ１１１００Ｂを下方向に移動させる。これにより、切替プッシャ１１１００Ｂに対応したコンタクトラバー１０７０の接点板１０７０ｅが接点６１Ｂ、６１Ｄに接触して接点６１Ｂ、６１Ｄが導通する。
【０１０８】
（スイッチ装置１００１の傾倒操作による動作）
操作部１０１０の傾倒操作は、選択された左ミラー５００又は右ミラー５１０のいずれのミラーの傾き移動を行なうものである。以下では、操作部１０１０を反時計方向に回転させてＬ（左ミラー）の位置にセットして左ミラー５００を選択し、Ｕ（上）方向の傾倒操作を行なう例について説明する。
【０１０９】
左ミラー５００が選択されているので、図５においては、接点６１Ａ、６１Ｃが導通している状態である。
【０１１０】
操作部１０１０（上ノブ１０１１、下ノブ１０１２、キャップ１０１３）のＵ（上）方向の傾倒操作により、操作部１０１０は、ホルダ１０１５の嵌合部１０１５ｃがボデー１０４０の支持穴１０４０ｃに回転可能に嵌合した状態で傾倒する。この傾倒操作により、下ノブ１０１２の突起部１０１２ｃが傾倒プッシャ１２００Ｃを下方向に移動させる。これにより、傾倒プッシャ１２００Ｃに対応したコンタクトラバー１０７０の接点板１０７０ｅが接点６２Ｃに接触して接点６２Ｃが導通する。また、この傾倒操作により、下ノブ１０１２の突起部１０１２ｃが傾倒プッシャ１２００Ｍ２を下方向に移動させる。これにより、傾倒プッシャ１２００Ｍ２に対応したコンタクトラバー１０７０の接点板１０７０ｅが接点６４に接触して接点６４が導通する。
【０１１１】
上記のことから、図５に示す回路図を参照すれば、接点６１Ａ、接点６２Ｃ、及び、接点６４が導通するので、左ミラー５００のモータ４１０が駆動され、ミラーのＵ（上）方向への調整を行なうことができる。
【０１１２】
同様の動作により、操作部１０１０のＬＷ（下）方向への傾倒操作により、接点６１Ａ、接点６２Ｄ、及び、接点６３が導通するので、左ミラー５００のモータ４１０が駆動され、ミラーのＬＷ（下）方向への調整を行なうことができる。
【０１１３】
すなわち、操作部１０１０のＵ（上）方向の傾倒操作とＬＷ（下）方向の傾倒操作において、モータ４１０には逆方向の電流が流れるので、左ミラー５００のモータ４１０によりＵ（上）方向又はＬＷ（下）方向のミラー調整を行なうことができる。
【０１１４】
上記と同様に、操作部１０１０のＲ（右）方向とＬ（左）方向の傾倒操作により、左ミラー５００のモータ４２０によりＲ（右）方向又はＬ（左）方向のミラー調整を行なうことができる。
【０１１５】
右ミラー５１０が選択されている場合についても、Ｒ（右）方向、Ｌ（左）方向、Ｕ（上）方向、及び、ＬＷ（下）方向の４方向（十字方向）へのミラー調整を行なうことができる。
【０１１６】
図４に示すように、６５で示す位置に、例えば、ＬＥＤの光源を実装し、透過性を有するコンタクトラバー１０７０及びロッド１０１４を介してキャップ１０１３の上面１０１３ｂに導光し、キャップ１０１３の上面１０１３ｂに表示された矢印や文字等を照明することができる。
【０１１７】
（本発明の実施の形態の効果）
本発明の実施の形態に係るスイッチ装置によれば、以下のような効果を有する。
（１）スイッチ装置は、操作部の回転操作により第１押圧スイッチ部により操作対象機器を選択し、操作部の傾倒操作により第２押圧スイッチ部を操作して選択された機器の操作を行なうので、１つの操作ノブで回転操作による切替と傾倒操作による十字方向へのスイッチ操作が可能となる。
（２）また、第１押圧スイッチ部、第２押圧スイッチ部は摺動タイプではなくプッシャにより押圧してコンタクトラバーに設けられた接点が接離してスイッチ動作を行なうものである。これにより、摺動抵抗の影響がない操作フィーリングに優れた操作性のよいスイッチ装置が可能となる。
（３）また、コンタクトラバーは、回路基板の上全面を覆うように装着される。あるいは、回路基板の側面全部を包み込むようにして装着される。これにより、防水性に優れたスイッチ装置が可能となる。
（４）また、他の実施の形態に示したように、例えば、ＬＥＤの光源を回路基板上に実装し、透過性を有するコンタクトラバー及びロッドを介してキャップ１２の上面に導光し、キャップ１２の上面に表示された矢印や文字等を照明することができる。これにより、コンタクトラバーによる回路基板の防水性を確保しつつ、回路基板上の光源から操作部の矢印や文字等を照明することが可能となる。
【０１１８】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【０１１９】
１…スイッチ装置
１０…操作部、１１…ノブ、１１ａ…係合突起部、１１ｂ…ローレット部、１１ｃ…係止部、１２…キャップ、１３…アクチュエータ、１３ａ…球殻部、１３ｂ…押圧突起部、１３ｃ…球殻外部、１３ｄ…球殻内部、１３ｅ…開口部、１４…ロッド、１４ａ…嵌合部、１４ｂ…球面部、１４ｃ…突起部、１４ｄ…当接部、１４ｅ…段端、１４ｆ…回転軸部、１６…ロータ、１６ａ…本体部、１６ｂ…係合突起部、１６ｄ…下面端、１６ｅ…上面端、１６ｆ…受面部、１６ｈ…カム部、１７…節度プッシャ、１８…バネ
３０…インナーボデー、３０ａ…本体部、３０ｂ…収容部、３０ｃ…節度溝部、３０ｄ…底部、３０ｅ…押さえ部、３０ｆ…爪部、３０ｇ…突起部、３０ｈ…ガイド壁、３０ｊ…ガイド穴
４０…ボデー、４０ａ…本体部、４０ｂ…支持部、４０ｃ…ドーム部、４０ｄ…ストッパー開口部、４０ｆ…空間部、４０ｊ…ガイド穴、４０ｍ…内段部、４０ｎ…係止穴
５０…カバー、５０ａ…爪部
６０…回路基板、６０ａ…上面、６１Ａ、６１Ｂ、６１Ｃ、６１Ｄ…接点、６２Ａ、６２Ｂ、６２Ｃ、６２Ｄ…接点、６３、６４…接点
７０…コンタクトラバー、７０ａ…上面部、７０ｂ…側面部、７０ｃ、７０ｄ…ドーム部、７０ｅ…接点板、７０ｆ…内側天部
８０…コネクタ
１００、１００Ａ、１００Ｂ…切替プッシャ、１０１…軸部、１０２…押圧操作部
２００Ａ、２００Ｂ、２００Ｃ、２００Ｄ、２００Ｍ１、２００Ｍ２…傾倒プッシャ、２０１…軸部、２０２…押圧操作部
４００…回路、４１０、４２０，４３０，４４０…モータ
５００…左ミラー、５１０…右ミラー
１００１…スイッチ装置
１０１０…操作部、１０１１…上ノブ、１０１１ａ…係合突起部、１０１１ｂ…ローレット部、１０１１ｃ…内溝部、１０１２…下ノブ、１０１２ａ…係合鈎部、１０１２ｂ…支持穴、１０１２ｃ…突起部、１０１３…キャップ、１０１３ａ…爪部、１０１３ｂ…上面、１０１４…ロッド、１０１４ａ…嵌合部、１０１４ｂ…球面部、１０１４ｃ…突起部、１０１４ｄ…ロッド部、１０１５…ホルダ、１０１５ａ…環状部、１０１５ｂ…嵌合部、１０１５ｃ…嵌合部、１０１６…ロータ、１０１６ａ…本体部、１０１６ｂ…係合突起部、１０１６ｃ…フランジ部、１０１６ｄ…下面端、１０１６ｅ…上面端、１０１６ｆ…受面部、１０１６ｈ…カム部、１０１７…節度プッシャ、１０１８…バネ
１０４０…ボデー、１０４０ａ…本体部、１０４０ｂ…支持部、１０４０ｃ…支持穴、１０４０ｄ…下段部、１０４０ｅ…上段部、１０４０ｆ…空間部、１０４０ｇ…節度溝、１０４０ｈ、１０４０ｊ…ガイド穴、１０４０ｋ…嵌合穴部、１０４０ｍ…内段部
１０５０…カバー
１０７０…コンタクトラバー、１０７０ａ…上面部、１０７０ｂ…側面部、１０７０ｃ、１０７０ｄ…ドーム部、１０７０ｅ…接点板、１０７０ｆ…内側天部
１０８０…コネクタ
１１００、１１００Ａ、１１００Ｂ…切替プッシャ、１１０１…軸部、１１０２…押圧操作部
１２００Ａ、１２００Ｂ、１２００Ｃ、１２００Ｄ、１２００Ｍ１、１２００Ｍ２…傾倒プッシャ、１２０１…軸部、１２０２…押圧操作部
ＣＬ…操作軸
【図１】
0006297521.tif 000002
【図２】
0006297521.tif 000003
【図３】
0006297521.tif 000004
【図４】
0006297521.tif 000005
【図５】
0006297521.tif 000006
【図６】
0006297521.tif 000007
【図７】
0006297521.tif 000008
【図８】
0006297521.tif 000009